(57)【要約】【課題】薄型化しても、下方から蛍光管や虫等の死骸が視認されることなく、一様な面照明を実現する照明装置を提供する。【解決手段】照明装置１は、光源４と、光源４を覆うように配置される照明カバー２とを有する照明装置１であって、照明カバー２は、フレーム枠５と第１の光拡散部材６と第２の光拡散部材７とを有し、フレーム枠５は、光源４が発する光を通すための開口５ａを有し、開口５ａの光源４側の端部及び反対側の他端部はそれぞれ、第１の光拡散部材６及び第２の光拡散部材７で覆われており、第２の光拡散部材７は、ガラス繊維シートからなり、第１の光拡散部材６の全光線透過率は８０％以上であり、第２の光拡散部材７の全光線透過率は４０％以上であり、ヘーズ値は８０％以上であり、フレーム枠５と、第１の光拡散部材６と、第２の光拡散部材７とにより密閉空間が形成されている。【選択図】図３
2010049837.tif 000002
【特許請求の範囲】
【請求項１】
光源と、該光源を覆うように配置される照明カバーとを有する照明装置であって、
前記照明カバーは、フレーム枠と第１の光拡散部材と第２の光拡散部材とを有し、
前記フレーム枠は、前記光源が発する光を通すための開口を有し、
前記開口の前記光源側の端部は、前記第１の光拡散部材で覆われており、
前記開口の前記光源側と反対側の他端部は、前記第２の光拡散部材で覆われており、
前記第２の光拡散部材は、ガラス繊維織物及び該ガラス繊維織物を被覆する樹脂被覆層を有するガラス繊維シートからなり、
前記第１の光拡散部材の全光線透過率は８０％以上であり、
前記第２の光拡散部材の全光線透過率は４０％以上であり、ヘーズ値は８０％以上であり、
前記フレーム枠と、前記第１の光拡散部材と、前記第２の光拡散部材とにより密閉空間が形成されていること
を特徴とする照明装置。
【請求項２】
前記第１の光拡散部材のヘーズ値は７０％以上であることを特徴とする請求項１に記載の照明装置。
【請求項３】
前記第１の光拡散部材は、ガラス繊維織物及び該ガラス繊維織物を被覆する樹脂被覆層を有するガラス繊維シートからなることを特徴とする請求項１または２に記載の照明装置。
【請求項４】
前記光源との相対位置が固定されるように配置された固定枠を更に有し、
前記固定枠と前記フレーム枠とは、矩形状の外形を有すると共に、それぞれ対をなす第１及び第２の連結杆により互いに連結されており、
前記対をなす第１の連結杆の端部はそれぞれ、前記固定枠の互いに対向する２辺の各々における、該互いに対向する２辺と他の１辺とからなる角部近傍の第１の部分に、該対向する２辺の対向方向を軸として回動可能に取り付けられており、
前記対をなす第１の連結杆の他端部はそれぞれ、前記フレーム枠の互いに対向する２辺の各々における、該互いに対向する２辺と他の１辺とからなる角部近傍の第１の部分に、前記対向方向を軸として回動可能に取り付けられており、
前記対をなす第２の連結杆の端部はそれぞれ、前記固定枠の前記互いに対向する２辺の各々における、前記固定枠の第１の部分よりも前記角部からの距離が離れた第２の部分に、前記対向方向を軸として回動可能に取り付けられており、
前記対をなす第２の連結杆の他端部はそれぞれ、前記フレーム枠の互いに対向する２辺の各々における、前記フレーム枠の第１の部分よりも前記角部からの距離が離れた第２の部分に、前記対向方向を軸として回動可能に取り付けられており、
前記第２の連結杆の長さは、前記第１の連結杆の長さよりも長い
ことを特徴とする請求項１〜３のいずれか１項に記載の照明装置。
【請求項５】
前記第１の連結杆の他端部及び前記第２の連結杆の他端部は、接続部材を介して前記フレーム枠に取り付けられており、
前記接続部材は、前記フレーム枠の前記固定枠に対向する面に接続されていることを特徴とする請求項４に記載の照明装置。
【請求項６】
前記接続部材が接続されているフレーム枠の辺と平行な方向から見た前記接続部材の断面形状は、略Ｌ字形状であることを特徴とする請求項５に記載の照明装置。
【発明の詳細な説明】
【技術分野】
【０００１】
本発明は、照明装置に関するものである。
【背景技術】
【０００２】
従来より、ギャラリー、エントランス等において、天井面に取り付けた多数の蛍光管と、照明カバーとにより面照明を実現する照明装置が用いられている。また、照明装置内に入り込んだ虫等の死骸が照明カバー上に溜まることに起因する美観の低下を防止するための構成を備える照明装置が提案されている（特許文献１）。特許文献１には、枠体の蛍光管側に透光性シートが貼られ、反対側に光拡散シートが貼られた照明カバーを備える照明装置が記載されている。この照明カバーでは、枠体、透光性シート及び光拡散シートにより密閉空間が形成されている。照明装置内に入り込んだ虫の死骸は、照明カバー内には溜まらずに、透光性シート上に溜まる。このため、照明装置を下方から見た場合に、虫の死骸は視認され難いので、美観が維持される。
【特許文献１】特開２００６−２０９９７８号公報
【発明の開示】
【発明が解決しようとする課題】
【０００３】
上記のような照明装置において、建物の構造の都合により、蛍光管と照明カバーの下面との距離を短くし薄型化することが求められている。しかしながら、この距離が短いと、下方から蛍光管が視認されやすくなると共に発光にむらが生じ、一様な面照明が実現されない。また、照明カバーの薄型化により、虫の死骸が照明カバーに投影されやすくなる。
【０００４】
本発明は、以上の問題点に鑑みてなされたものであり、薄型化しても、下方から蛍光管や虫等の死骸が視認されることなく、一様な面照明を実現する照明装置を提供することを目的とする。
【課題を解決するための手段】
【０００５】
本発明に係る照明装置は、光源と、光源を覆うように配置される照明カバーとを有する照明装置であって、照明カバーは、フレーム枠と第１の光拡散部材と第２の光拡散部材とを有し、フレーム枠は、光源が発する光を通すための開口を有し、開口の光源側の端部は、第１の光拡散部材で覆われており、開口の光源側と反対側の他端部は、第２の光拡散部材で覆われており、第２の光拡散部材は、ガラス繊維織物及びガラス繊維織物を被覆する樹脂被覆層を有するガラス繊維シートからなり、第１の光拡散部材の全光線透過率は８０％以上であり、第２の光拡散部材の全光線透過率は４０％以上であり、ヘーズ値は８０％以上であり、フレーム枠と、第１の光拡散部材と、第２の光拡散部材とにより密閉空間が形成されていることを特徴とする。
【０００６】
本発明の照明装置では、フレーム枠の開口の両端は、第１及び第２の光拡散部材で覆われており、これらの光拡散部材は、光を透過させると共に、入射した光を拡散する。第１の光拡散部材の全光線透過率は８０％以上であり、第２の光拡散部材の全光線透過率は４０％以上であるので、光源から発せられた光がフレーム枠の開口を通る際に第１及び第２の光拡散部材を通過しても、照明装置として十分な光量が確保される。また、第１及び第２の光拡散部材は光拡散性を有するので、開口を通る光は、第１及び第２の光拡散部材の双方により拡散される。さらに、第２の光拡散部材のヘーズ値は８０％以上であるので、光源と照明カバーの下面に位置する第２の光拡散部材との距離が短くても、照明カバーと光源との間に溜まる虫等の死骸や光源の形は、下方から視認され難い。従って、照明装置の美観が維持されると共に、むらのない一様な面照明が実現される。なお、全光線透過率とは、光拡散部材に入射した光のうち、光拡散部材を透過した光の割合である。また、ヘーズ値とは、全光線透過率に対する拡散透過率の割合である。即ち、ヘーズ値が大きいほど、多くの入射光が拡散されることを意味している。これらの透過率は、ＪＩＳ  Ｋ  ７１０５に規定される方法に従って測定される。
【０００７】
また、フレーム枠、第１の光拡散部材及び第２の光拡散部材は、密閉空間を形成するので、この密閉空間の中に虫等が侵入することはない。このため、虫等の死骸が第２の光拡散部材上に溜まることはなく、美観が維持される。虫等が照明装置内に侵入した場合であっても、その死骸は照明カバーの上面に位置する第１の光拡散部材上に溜まることとなる。光源からの光は、第１及び第２の光拡散部材で拡散されるので、第１の光拡散部材上の虫等の死骸の影は、下方から視認され難い。さらに、第２の光拡散部材を構成するガラス繊維シートは、ガラス繊維織物とこれを被覆する樹脂被覆層からなるので不燃性を有し、照明装置の防火性能が向上する。
【０００８】
また、本発明に係る照明装置では、第１の光拡散部材のヘーズ値は７０％以上であることが好ましい。第１の光拡散部材のヘーズ値が７０％以上であるので、光源からの光が十分に拡散され、虫の死骸の影や光源の形が視認され難くなる。
【０００９】
本発明に係る照明装置では、第１の光拡散部材は、ガラス繊維織物及びガラス繊維織物を被覆する樹脂被覆層を有するガラス繊維シートからなることが好ましい。第２の光拡散部材に加えて、第１の光拡散部材も不燃性のガラス繊維シートからなるので、照明装置の防火性能がより一層向上する。
【００１０】
本発明に係る照明装置は、光源との相対位置が固定されるように配置された固定枠を更に有し、固定枠とフレーム枠とは、矩形状の外形を有すると共に、それぞれ対をなす第１及び第２の連結杆により互いに連結されており、対をなす第１の連結杆の端部はそれぞれ、固定枠の互いに対向する２辺の各々における、互いに対向する２辺と他の１辺とからなる角部近傍の第１の部分に、対向する２辺の対向方向を軸として回動可能に取り付けられており、対をなす第１の連結杆の他端部はそれぞれ、フレーム枠の互いに対向する２辺の各々における、互いに対向する２辺と他の１辺とからなる角部近傍の第１の部分に、対向方向を軸として回動可能に取り付けられており、対をなす第２の連結杆の端部はそれぞれ、固定枠の互いに対向する２辺の各々における、固定枠の第１の部分よりも角部からの距離が離れた第２の部分に、対向方向を軸として回動可能に取り付けられており、対をなす第２の連結杆の他端部はそれぞれ、フレーム枠の互いに対向する２辺の各々における、フレーム枠の第１の部分よりも角部からの距離が離れた第２の部分に、対向方向を軸として回動可能に取り付けられており、第２の連結杆の長さは、第１の連結杆の長さよりも長いことを特徴とする。
【００１１】
フレーム枠の第２の部分は、第２の連結杆の他端部と回動可能に連結されているので、この連結部分を軸としてフレーム枠を回動させることにより、照明カバーの開閉が可能となる。また、第２の連結杆の端部は、固定枠の第２の部分と回動可能に連結されているので、この連結部分を軸として第２の連結杆を回動させることができる。この回動により、フレーム枠の回動の軸となる第２の連結杆の他端部は、端部を中心とした弧を描きながら、固定枠の角部から遠ざかる方向に移動する。これにより、複数の照明装置を隙間無く隣接させて配置した場合であっても、照明カバーの開閉に際して、隣接する照明装置と干渉することなくフレーム枠を回動させることが可能となる。
【００１２】
さらに、第１の連結杆の端部が固定枠の第１の部分と回動可能に連結されていると共に、フレーム枠の第１の部分が第１の連結杆の他端部と回動可能に連結されているので、固定枠の第１の部分とフレーム枠の第１の部分との距離は、第１の連結杆の端部と他端部との距離に規定される。これにより、固定枠に対する第２の連結杆の回動角と、第２の連結杆に対するフレーム枠の回動角とは、一意に対応付けられる。また、第１の連結杆は第２の連結杆よりも短いので、固定枠の角部から離れるに従い固定枠とフレーム枠との距離が広がるように照明カバーを開くことが可能となる。従って、照明カバーの開閉に際して、フレーム枠の回動の軌跡が一定となるので、照明カバーの開閉作業時において、照明カバーが作業者の予期せぬ動作をすることがない。従って、第１及び第２の光拡散部材に大きな力が加わることに起因するしわの発生及び破損が防止でき、一様な面照明の実現に寄与する。さらに、照明カバーの開閉を伴う作業の安全性が向上する。
【００１３】
また、本発明に係る照明装置では、第１の連結杆の他端部及び第２の連結杆の他端部は、接続部材を介して前記フレーム枠に取り付けられており、接続部材は、前記フレーム枠の固定枠に対向する面に接続されていることが好ましい。この場合には、第１及び第２の連結杆は接続部材を介して一括にフレーム枠に接続されるので、接続強度を確保することができる。また、第２の光拡散部材は、フレーム枠の、固定枠に対向する面とは反対側に設けられているので、第１及び第２の連結杆とフレーム枠との連結部は、第２の光拡散部材とは干渉しない。このため、フレーム枠に第１及び第２の連結杆との連結部を設けるに際して、第２の光拡散部材やフレーム枠の開口部の第１の光拡散部材に穴を開ける等の加工は不要であり、フレーム枠、第１の光拡散部材及び第２の光拡散部材により完全な密閉空間を形成することができる。さらに、照明カバーの開閉に際して、連結部においてフレーム枠を変形させるような力が加わることを抑制できるので、第１の光拡散部材や第２の光拡散部材にしわ及び破損が生じ難く、むらのない一様な面照明が実現される。
【００１４】
また、本発明に係る照明装置では、接続部材が接続されているフレーム枠の辺と平行な方向から見た接続部材の断面形状は、略Ｌ字形状であることが好ましい。この場合には、
第１及び第２の連結杆は、接続強度を確保しつつ、より好適にフレーム枠に接続される。
【発明の効果】
【００１５】
本発明によれば、薄型化しても、下方から蛍光管や虫等の死骸が視認されることなく、一様な面照明を実現する照明装置を提供することが可能となる。
【発明を実施するための最良の形態】
【００１６】
以下、図面を参照して、本発明に係る照明装置の実施形態について詳細に説明する。なお、全図中、同一又は相当部分には同一符号を付すこととする。
【００１７】
図１は、本実施形態の照明装置を天井に設けた状態の概略斜視図である。図１（ａ）は、照明カバーが閉じられた状態の概略斜視図であり、図１（ｂ）は、照明カバーが開かれた状態の概略斜視図である。また、図２は、本実施形態の照明装置の概略下面図である。さらに、図３は、図２のＩ−Ｉ線に沿った概略断面図である。照明装置１は、照明カバー２と、固定枠３と、光源４とを有する。照明装置１が設けられる空間の面照明を実現するために、例えば、多数の照明装置１が隣接して天井面に配置される。
【００１８】
照明カバー２は、光源４を覆うように配置されており、フレーム枠５と第１の光拡散部材６と第２の光拡散部材７とを有する。フレーム枠５は、略矩形状の外形を有すると共に、光源４が発する光を通すための開口５ａを有している。この開口５ａの光源４側の端部は、第１の光拡散部材６で覆われており、開口５ａの光源４と反対側の他端部は、第２の光拡散部材７で覆われている。従って、光源４から発せられた光は、フレーム枠５の開口を通る際に第１の光拡散部材６及び第２の光拡散部材７を透過する。また、フレーム枠５と、第１の光拡散部材６と、第２の光拡散部材７とにより密閉空間が形成されているので、照明カバー２の内部に虫等が侵入することはない。このため、第２の光拡散部材７上に虫等の死骸が溜まることが防止できる。
【００１９】
第１の光拡散部材６は、透光性及び光拡散性を有するシート状の部材であり、フレーム枠５の開口５ａの光源４側端部を覆うようにフレーム枠５に取り付けられている。第１の光拡散部材６は、例えばねじを用いてフレーム枠５に取り付けられたり、両面テープを用いてフレーム枠５に貼り付けられる（図示せず）。この第１の光拡散部材６の全光線透過率は８０％以上であるので、光源４から発せられた光が第１の光拡散部材６を通過しても、照明装置として十分な光量が確保される。また、第１の光拡散部材６は光拡散性を有するので、開口５ａを通る光は、第１の光拡散部材６を透過する際に拡散される。このため、照明カバー２と光源４との間に入り込んだ虫等の死骸が第１の光拡散部材６上に溜まっても、この虫等の死骸の影は、下方から視認され難い。また、第１の光拡散部材の光拡散性により、光源４の形状も下方からは視認され難くなる。従って、照明装置の美観が維持されると共に、むらのない一様な面照明が実現される。この第１の光拡散部材６のヘーズ値は７０％以上であることが好ましい。ヘーズ値が７０％以上である場合には、光源４からの光が十分に拡散されるので、虫の死骸の影や光源の形状が、より一層視認され難くなる。
【００２０】
なお、第１の光拡散部材６は、合成樹脂製のシートでもよいが、ガラス繊維シートからなることが好ましい。ガラス繊維シートは、ガラス繊維織物及びガラス繊維織物を被覆する樹脂被覆層を有する。第１の光拡散部材６がガラス繊維シートからなる場合には、ガラス繊維シートは不燃性を有するので、照明装置１の防火性能が向上する。
【００２１】
第２の光拡散部材７は、透光性及び光拡散性を有するシート状の部材であり、フレーム枠５の開口５ａの光源４側と反対側の他端部を覆うように、ねじ５ｂによりフレーム枠５に取り付けられている（図６参照）。この第２の光拡散部材７の全光線透過率は４０％以上であるので、光源４から発せられた光が第２の光拡散部材７を通過しても、照明装置として十分な光量が確保される。なお、照明装置として十分な光量を得るために、第２の光拡散部材の全光線透過率は５０％以上であることがさらに好ましい。また、第２の光拡散部材７は光拡散性を有し、ヘーズ値は８０％以上であるので、光源４と第２の光拡散部材７との距離が短くても、照明カバー２と光源４との間に溜まる虫等の死骸や光源の形状は、下方から視認され難い。従って、照明装置の美観が維持されると共に、むらのない一様な面照明が実現される。
【００２２】
図４は、第２の光拡散部材７に用いられるガラス繊維シートの一例の概略斜視図である。ガラス繊維シート３０は、ガラス繊維織物３１及び樹脂被覆層３４からなる。ガラス繊維織物３１は、樹脂被覆層３４により被覆されている。
【００２３】
ガラス繊維織物３１は、ガラス繊維束を製織して得られ、例えば、経糸３２及び緯糸３３が平織りされて形成される。製織方法としては、平織りに限られず、例えば二重織り、朱子織り及び綾織等が採用される。光拡散部材としてのガラス繊維シートの光拡散性、透光性、引張り強度の観点から、ガラス繊維織物３１の単位面積あたりの質量は、１００〜３００ｇ／ｍ２であることが好ましく、厚さは１００〜３００μｍであることが好ましい。また、ガラス繊維織物３１の通気度は１０ｃｍ３／ｃｍ２／ｓｅｃ以下であることが好ましい。ガラス繊維の素材であるガラスの組成は特に限定されないが、例えばＥガラスが用いられる。
【００２４】
樹脂被覆層３４は、ガラス繊維織物３１に樹脂組成物を含浸して固化させることにより、ガラス繊維織物３１の経糸３２及び緯糸３３を覆うように形成された層である。樹脂被覆層３４の形成のための好ましい第一の態様として、中空ガラスビーズを含むフッ素樹脂またはシリコーン樹脂の樹脂組成物をガラス繊維織物３１に含浸してシート化することを挙げることができる。これらの樹脂組成物を用いることにより、ガラス繊維シート３０の透光性及び光拡散性を調整可能とすると共に、不燃性を向上させることができる。また、樹脂被覆層３４の樹脂組成物として、ポリ塩化ビニル樹脂、ビニルエステル樹脂、アクリル樹脂、ポリウレタン樹脂、ポリエステル樹脂、ポリエチレン樹脂及びポリプロピレン樹脂等を用いることが可能である。なお、この場合、光拡散性・透光性・難燃性の観点から、樹脂組成物の単位面積当たりの質量は５０〜３００ｇ／ｍ２が好ましい。
【００２５】
さらに、樹脂被覆層３４の形成のための好ましい第二の態様として、ガラス繊維織物３１のガラス組成の屈折率とほぼ等しい屈折率を有する樹脂をガラス繊維織物に含浸してシート化し、その表面の片面または両面にビーズ層を更に設けることにより樹脂被覆層３４を形成することを挙げることができる。この場合樹脂としてポリ塩化ビニル樹脂やビニルエステル樹脂が好ましい。ビーズ層は、多数の微細なビーズをポリ塩化ビニル樹脂、ビニルエステル樹脂、アクリル樹脂などの樹脂に混ぜ合わせて十分に分散させた後に、このビーズ入り樹脂の被膜が形成された層である。ビーズ層に分散された多数のビーズは、ガラス繊維シート３０に入射された光を高い割合で拡散して、ガラス繊維シート３０の光拡散性を高め、光源と反対側のビーズ層はグレア防止性を発揮する。ビーズの形状は、例えば球状であり、ビーズの粒子径は、例えば１〜３０μｍ程度の微細なものであることが好ましい。ビーズの材料は、例えばシリカといった無機物やアクリルといった有機物等である。この場合、光拡散性・透光性・難燃性の観点から、樹脂被覆層の単位面積当たりの樹脂量は５０〜３００g／ｍ２であることが好ましい。
【００２６】
一方、第１の光拡散部材６は、ガラス繊維シートからなることが好ましく、図４の概略斜視図で示した第２の光拡散部材７に用いられるガラス繊維シート３０と同様に、ガラス繊維織物３１及び樹脂被覆層３４からなり、ガラス繊維織物３１は、樹脂被覆層３４により被覆されていることが好ましい。この場合、光拡散性や透光性の観点からガラス繊維織物の単位面積当たりの質量は５０〜２００ｇ／ｍ２であることが好ましく、また樹脂被覆層３４は上記第２の光拡散部材７における第二の態様により形成されたものであることが好まししく、光拡散性・透光性・難燃性の観点から、樹脂被覆層の単位面積当たりの樹脂量は３０〜２００g／ｍ２が好ましい。
【００２７】
固定枠３は、略矩形状の外形を有すると共に、光源４が発する光を通すための開口を有する部材である。この固定枠３は、光源４との相対位置が固定されるように配置されている。例えば、固定枠３は、取り付け部材３ａを介して天井２０に取り付けられる。光源４も天井２０に取り付けられているので、固定枠３と光源４との相対位置が固定される。
【００２８】
光源４は、照明のための光を発するためのものであり、例えば蛍光管等により構成される。天井２０には多数の光源４が配列されている。
【００２９】
固定枠３とフレーム枠５とは、それぞれ対をなす第１の連結杆８及び第２の連結杆９により互いに連結されている。図５は、固定枠３とフレーム枠５との連結部分を拡大して示す図面である。また、図６は、図５のII−II線に沿った断面図である。図５に示すように、第２の連結杆９の長さは、第１の連結杆８の長さよりも長い。
【００３０】
対をなす第１の連結杆８の端部８ａはそれぞれ、固定枠３の互いに対向する２辺の各々における、当該互いに対向する２辺と他の１辺とからなる角部３ｂ近傍に、接続部材１１を介して取り付けられている。より詳しくは、第１の連結杆８の端部８ａは、接続部材１１の第１の部分１１ａに、当該対向する２辺の対向方向である方向Ｄを軸として回動可能に取り付けられている。接続部材１１の第１の部分１１ａはそれぞれ、固定枠３の当該対向する２辺の各々の角部３ｂ近傍に位置する。
【００３１】
対をなす第１の連結杆８の他端部８ｂはそれぞれ、フレーム枠５の互いに対向する２辺の各々における、当該互いに対向する２辺と他の１辺とからなる角部５ｃ近傍に、接続部材１０を介して取り付けられている。より詳しくは、第１の連結杆８の他端部８ｂは、接続部材１０の第１の部分１０ａに、方向Ｄを軸として回動可能に取り付けられている。接続部材１０の第１の部分１０ａはそれぞれ、フレーム枠５の当該対向する２辺の各々の角部５ｃ近傍に位置する。
【００３２】
対をなす第２の連結杆９の端部９ａはそれぞれ、固定枠３の互いに対向する２辺の各々に、接続部材１１を介して取り付けられている。より詳しくは、第２の連結杆９の端部９ａは、接続部材１１の第２の部分１１ｂに、方向Ｄを軸として回動可能に取り付けられている。接続部材１１の第２の部分１１ｂは、第１の部分１１ａよりも固定枠３の角部３ｂからの距離が離れて配置されている。
【００３３】
対をなす第２の連結杆９の他端部９ｂはそれぞれ、フレーム枠５の互いに対向する２辺の各々に、接続部材１０を介して取り付けられている。より詳しくは、第２の連結杆９の他端部９ｂは、接続部材１０の第２の部分１０ｂに、方向Ｄを軸として回動可能に取り付けられている。接続部材１０の第２の部分１０ｂは、第１の部分１０ａよりもフレーム枠５の角部５ｃからの距離が離れて配置されている。
【００３４】
図７は、図３に示す照明装置１の照明カバー２が開かれた状態の図面である。また、図８は、照明カバー２が開かれた状態における、固定枠３とフレーム枠５との連結部分を拡大して示す図面である。フレーム枠５に取り付けられた接続部材１０の第２の部分１０ｂは、第２の連結杆９の他端部９ｂと回動可能に連結されているので、この連結部分を軸としてフレーム枠５を回動させることにより、照明カバー２の開閉が可能となる。
【００３５】
また、第２の連結杆９の端部９ａは、固定枠３に取り付けられた接続部材１１の第２の部分１１ｂと回動可能に連結されているので、この連結部分を軸として第２の連結杆９を回動させることができる。この回動により、フレーム枠５の回動の軸となる第２の連結杆９の他端部９ｂは、端部９ａを中心とした弧を描きながら、固定枠３の角部３ｂから遠ざかる方向に移動する（図５及び図８を比較参照）。これにより、複数の照明装置１を隙間無く隣接させて配置した場合であっても、照明カバー２の開閉に際して、隣接する照明装置１と干渉することなくフレーム枠５を回動させることが可能となる。
【００３６】
第１の連結杆８の端部８ａが接続部材１１の第１の部分１１ａと回動可能に連結されていると共に、接続部材１０の第１の部分１０ａが第１の連結杆８の他端部８ｂと回動可能に連結されているので、接続部材１０の第１の部分１０ａと接続部材１１の第１の部分１１ａとの距離は、第１の連結杆８の端部８ａと他端部８ｂとの距離に規定される（図５及び図８を比較参照）。これにより、固定枠３に対する第２の連結杆９の回動角と、第２の連結杆９に対するフレーム枠５の回動角とは、一意に対応付けられる。また、第１の連結杆８は第２の連結杆９よりも短いので、固定枠３の角部３ｂから離れるに従い固定枠３とフレーム枠５との距離が広がるように照明カバー２を開くことが可能となる。従って、照明カバー２の開閉に際して、フレーム枠５の回動の軌跡が一定となるので、照明カバー２の開閉作業時において、照明カバー２が作業者の予期せぬ動作をすることがない。従って、第１の光拡散部材６及び第２の光拡散部材７に大きな力が加わることに起因するしわの発生及び破損が防止でき、一様な面照明の実現に寄与する。さらに、照明カバー２の開閉を伴う作業の安全性が向上する。
【００３７】
第１の連結杆８の他端部８ｂ及び第２の連結杆９の他端部９ｂは、フレーム枠５における、固定枠３に対向する面に接続部材１０を介して連結されている。第２の光拡散部材７は、フレーム枠５における、固定枠３に対向する面とは反対側に設けられているので、第１の連結杆８及び第２の連結杆９とフレーム枠５との連結部は、第２の光拡散部材７とは干渉しない。このため、フレーム枠５に第１の連結杆８及び第２の連結杆９との連結部を設けるに際して、第２の光拡散部材７に穴を開ける等の加工は不要である。従って、第２の光拡散部材にしわ及び破損が生じ難く、むらのない一様な面照明が実現される。さらに、フレーム枠の開口５ａにおいて第１の光拡散部材６に穴を開ける等の加工は不要であり、フレーム枠、第１の光拡散部材及び第２の光拡散部材により完全な密閉空間を形成することができる。
【００３８】
また、図５及び図６に示すように、第１の連結杆８の他端部８ｂ及び第２の連結杆９の他端部９ｂは、接続部材１０を介してフレーム枠５に接続されており、接続部材１０が接続されているフレーム枠５の辺と平行な方向から見た接続部材１０の断面形状は、略Ｌ字形状である。このため、第１の連結杆８及び第２の連結杆９は、接続強度を確保しつつ、より好適にフレーム枠に接続される。
【００３９】
なお、本実施形態では、第１の連結杆８及び第２の連結杆９はそれぞれ、接続部材１０及び接続部材１１を介してフレーム枠５及び固定枠３に連結されているが、接続部材１０及び接続部材１１を介さずに直接にフレーム枠５及び固定枠３に連結されることとしてもよい。
【００４０】
図９は、照明カバー留め具１２の近傍部分を拡大して示す図である。図１０は、図９のIII−III線に沿った断面図である。照明カバー留め具１２は、係止フック１２ａ、レバー部材１２ｂ、フック保持部１２ｃ及び係止ロッド１２ｄを有する。係止フック１２ａは、フック保持部１２ｃにより保持される軸を中心として回動可能であり、係止ロッド１２ｄに係止するためのフック部を有する。係止フック１２ａは、レバー部材１２ｂを操作することにより回動される。フック保持部１２ｃは、係止フック１２ａを回動させるための軸部を保持する部材であり、フレーム枠５の上面に取り付けられている。係止ロッド１２ｄは、固定枠３の下面に取り付けられたＵ字状の部材である。レバー部材１２ｂを操作して係止フック１２ａのフック部を係止ロッド１２ｄに係止することにより、照明カバー２を閉じた状態に保持することができる。また、レバー部材１２ｂを操作して係止フック１２ａのフック部を係止ロッド１２ｄから外すことにより、フレーム枠５は回動可能となり、照明カバー２を開くことが可能となる。
【図面の簡単な説明】
【００４１】
【図１】図１（ａ）は、本実施形態の照明装置の照明カバーが閉じられた状態の概略斜視図である。図１（ｂ）は、照明カバーが開かれた状態の概略斜視図である。
【図２】本実施形態の照明装置の概略下面図である。
【図３】図２のＩ−Ｉ線に沿った概略断面図である。
【図４】第１の光拡散部材及び第２の光拡散部材に用いられるガラス繊維シートの一例の概略斜視図である。
【図５】固定枠とフレーム枠との連結部分を拡大して示す図である。
【図６】図５のII−II線に沿った断面図である。
【図７】図３に示す照明装置の照明カバーが開かれた状態の概略断面図である。
【図８】照明カバーが開かれた状態における、固定枠とフレーム枠との連結部分を拡大して示す図である。
【図９】照明カバー留め具の近傍部分を拡大して示す図である。
【図１０】図９のIII−III線に沿った断面図である。
【符号の説明】
【００４２】
１…照明装置、２…照明カバー、３…固定枠、４…光源、５…フレーム枠、５ａ…開口、６…第１の光拡散部材、７…第２の光拡散部材、８…第１の連結杆、９…第２の連結杆、１０…接続部材、１２…照明カバー留め具、２０…天井、３０…ガラス繊維シート、３１…ガラス繊維織物、３２…経糸、３３…緯糸、３４…樹脂被覆層。
【図１】
2010049837.tif 000003
【図２】
2010049837.tif 000004
【図３】
2010049837.tif 000005
【図４】
2010049837.tif 000006
【図５】
2010049837.tif 000007
【図６】
2010049837.tif 000008
【図７】
2010049837.tif 000009
【図８】
2010049837.tif 000010
【図９】
2010049837.tif 000011
【図１０】
2010049837.tif 000012